(57)【要約】【課題】人造大理石からなる段違いカウンターに高温の鍋等を載置しても、変形や、変色等が発生することのないキッチンカウンターを提供する。【解決手段】システムキッチンのカウンターであって、天板２に段差をつけて設けられ、上段水平部１３、傾斜部１２、下段水平部１１からなる段違いカウンター１を人造大理石で構成するとともに、該下段水平部１１の上に張り出すように金属製の邪魔板１４を該上段水平部１３に突設したことを特徴とする。好ましくは、上記金属製の邪魔板１４は、その長手方向に沿う端面を、上段水平部１３と天板２との間にパッキン３を介し、着脱自在かつ張り出し長さが可変となるように弾性支持される。【選択図】図１
2004041467.tif 000002
【特許請求の範囲】
【請求項１】
システムキッチンのカウンターであって、天板に段差をつけて設けられ、上段水平部、傾斜部、下段水平部からなる段違いカウンターを人造大理石で構成するとともに、該下段水平部の上に張り出すように金属製の邪魔板を該上段水平部に突設したことを特徴とするキッチンカウンター。
【請求項２】
上記金属製の邪魔板は、平面視略長方形とされ、その長手方向に沿う端面が、上段水平部と天板との間にパッキンを介して、着脱自在に弾性支持されるとともに、張り出し長さが可変とされた、請求項１に記載のキッチンカウンター。
【請求項３】
上記金属製の邪魔板がアルミニウムから構成された、請求項１に記載のキッチンカウンター。
【請求項４】
下段水平部の下方の下地材にアルミニウム製の桟が内設された、請求項１に記載のキッチンカウンター。
【請求項５】
上記金属製の邪魔板が櫛形構造とされた、請求項１に記載のキッチンカウンター。
【発明の詳細な説明】
【０００１】
【発明の属する技術分野】
本発明は、キッチンカウンターに関する。さらに詳しくは、天板に段差をつけて設けられた段違いカウンターを有するキッチンカウンターに関する。
【０００２】
【従来の技術】
従来、システムキッチンのカウンターの天板に、段差をつけて段違いカウンターを設け、その下段を、鍋等の調理器具の載置部とするようにデザインされたキッチンカウンターが知られている。この下段の水平部に鍋等の調理器具を載置すると、視線の角度の関係から、鍋等の内底を容易に目視確認することができるとともに、鍋等を持ち上げ易くするという効果があるため、近年、盛んに用いられている。また、カウンターを平板に仕上げた場合に比べて、デザイン的にも優れたものとなり、高級な品質感を実現できるという利点もある。さらに、高級感を持たせるため、カウンターに、天然の大理石調の外観を呈する人造大理石を使用したキッチンカウンターも提案されている（特開平９−１００５３号公報等）。
【０００３】
【発明が解決しようとする課題】
上記段違いカウンターを人造大理石で構成した公知のキッチンカウンターの斜視図を図５に示す。図６に、図５のＢ−Ｂ線に沿う側断面図を示す。同図において、段違いカウンター６は、カウンターの天板２に、段差をつけて設けられ、図６に示されているように、上段水平部６３、傾斜部６２、下段水平部６１から構成されている。
【０００４】
上記人造大理石は、各種着色剤、充填材等を配合させた熱硬化性メタクリル系樹脂、熱硬化性不飽和ポリエステル樹脂等を、通常０．５ｍｍ〜４．０ｍｍの厚さに成形して使用される場合が多い。しかしながら、その耐熱性は十分であるとはいい難く、人造大理石からなる段違いカウンター６に、やかん、鍋等の高温の調理器具を載置すると、下段水平部６１や傾斜部６２が接触し、高温にさらされるため、クリープの発生により変形したり、変色するという問題が生じる。本発明はこのような状況の下で考え出されたものであって、やかん、鍋等の調理器具を高温のまま、人造大理石からなる段違いカウンターに載置しても、変形や、変色等の問題が発生することのないキッチンカウンターを提供することをその課題とする。
【０００５】
【課題を解決するための手段】
上記課題を解決するために、本発明においては、つぎのような技術的手段を講じている。すなわち、本発明によれば、システムキッチンのカウンターであって、天板に段差をつけて設けられ、上段水平部、傾斜部、下段水平部からなる段違いカウンターを人造大理石で構成するとともに、該下段水平部の上に張り出すように金属製の邪魔板を該上段水平部に突設したことを特徴とするキッチンカウンターが提供される。
【０００６】
上記金属製の邪魔板は、平面視略長方形とされ、その長手方向に沿う端面が、上段水平部と天板との間にパッキンを介して、着脱自在に弾性支持されるとともに、張り出し長さが可変とされることが好ましい。このようにすることによって、不要のときは、邪魔板を取り外すことが可能となり、また、上記下段水平部に載置される調理器具の種類や大きさによって、張り出し長さを変えることができる。
【０００７】
上記金属製の邪魔板をアルミニウムから構成されたものとすることが好ましい。鉄、ステンレススチール、銅等、各種金属の中で、アルミニウムは、熱を伝えて放散する伝熱性が高いとともに、任意の形状に加工する加工性にも優れているため、アルミニウムが好ましく用いられる。
【０００８】
さらに、下段水平部の下方の下地材にアルミニウム製の桟が内設されることが好ましい。このようにすることによって、下段水平部では、その下方からもこのアルミニウム製の桟を経て、放熱が可能となるため、さらに効率的に熱の除去ができる。
【０００９】
上記金属製の邪魔板が櫛形構造とされてもよい。このようにすることによって、櫛形構造の歯と歯の間からも熱が放散されるため、効率的に熱の除去を行なうことができる。
【００１０】
【発明の実施の形態】
以下、本発明の好ましい実施の形態について、図面を参照してより詳細に説明する。図１に本発明にかかるキッチンカウンターの斜視図を示す。図２は、図１におけるＡ−Ａ線に沿う側断面図である。すなわち、キッチンカウンターの天板２に段差をつけて設けられた段違いカウンター１は、図２からよくわかるように、上段水平部１３、傾斜部１２、下段水平部１１からなるとともに、人造大理石で構成されている。図２において、平面視略長方形のアルミニウム製の邪魔板１４は、その長手方向に沿う端面を上段水平部１３と、天板２との間に、耐熱性の弾性材料から構成されたパッキン３を介し、着脱自在に下段水平部１１の上に張り出すように装着されている。
【００１１】
図２によく示されているように、上記パッキン３はＵ字形をしておりその開口部を下段水平部１１の方向に開口させた状態で、天板２と上段水平部１３との間に嵌装されているため、この開口部に邪魔板１４の長手方向に沿う端面を着脱自在に装着することができる。さらに、パッキン３は、弾性材料から構成されているため、上記邪魔板１４の端面を任意の挿入深さで弾性支持することが可能で、上記端面から上方に屈曲して水平方向に張り出した邪魔板１４の張り出し長さを可変とし、任意に調節することができる。
【００１２】
上記のように構成し、たとえば、邪魔板１４を下段水平部１１上に約３０ｍｍ突出させることによって、高温の鍋等を下段水平部１１に載置しても、邪魔板１４によって鍋等が傾斜部１２に接触するのを邪魔されるとともに、邪魔板１４を通じて伝熱、放熱し、また、上記邪魔板１４で確保された空間が冷却効果を発揮する。その結果、傾斜部１２のみならず、下段水平部１１ともども、段違いカウンターを高温から守り、変形や変色等を防ぐことができる。
【００１３】
図３に、本発明にかかる他の実施の形態を示す。図３に示す側断面図からよくわかるように、本実施形態においては、下段水平部１１の下方の下地材４に複数のアルミニウム製の桟５が内設されている。このようにすることによって、邪魔板１４からの放熱に加えて、下段水平部１１の下方からも放熱が可能となるため、さらに好ましい結果を得ることができる。
【００１４】
図４に、本発明にかかる、さらに他の実施の形態を示す。図４に示す斜視図からよくわかるように、本実施形態においては、櫛形構造の邪魔板１５が用いられている。この場合、上記他の実施形態と同様に、下段水平部１１の下方の下地材４に複数のアルミニウム製の桟５を内設することが可能であり、邪魔板１５の歯と歯の間から放熱することに加えて、下段水平部１１の下方からも放熱が可能となるため、さらに好ましい結果を得ることができる。
【００１５】
以上説明した実施形態は、下段水平部１１が平板の場合について述べたが、下段水平部１１の上に、複数の突起部や凸条部を設けて、高温の調理器具との接触面積を減少させる等、種々設計変更可能であり、何れも本発明の技術的範囲に含まれる。
【００１６】
【発明の効果】
以上述べたように、請求項１に記載の発明は、システムキッチンのカウンターであって、天板に段差をつけて設けられ、上段水平部、傾斜部、下段水平部からなる段違いカウンターを人造大理石で構成するとともに、該下段水平部の上に張り出すように、金属製の邪魔板を該上段水平部の上に突設したことを特徴とするキッチンカウンターである。このように構成することにより、張り出した邪魔板は、高温の鍋等が傾斜部に接触することを防ぐとともに、放熱効果を発揮し、また、上記邪魔板で確保された空間が冷却効果を発揮する。その結果、上記人造大理石からなる段違いカウンターを高温から守り、変形や変色等を防ぐことができる。
【００１７】
金属製の邪魔板は、平面視略長方形とされ、その長手方向に沿う端面が、上段水平部と天板との間にパッキンを介して、着脱自在に弾性支持されるとともに、張り出し長さが可変とされる。このようにすることにより、請求項１に記載の発明の効果に加えて、不要のときは、邪魔板を取り外すことが可能となり、また、下段水平部に載置される調理器具の種類や大きさによって、邪魔板の張り出し長さを変えることができる。
【００１８】
上記金属製の邪魔板は、アルミニウムから構成されたものとすることが好ましい。このようにすることにより、請求項１に記載の発明の効果に加えて、伝熱性に優れたアルミニウムが、熱を効率よく放散するとともに、加工性にも優れているため、任意の形状に邪魔板を加工できるという効果がある。
【００１９】
下段水平部の下方の下地材にアルミニウム製の桟が内設されることが好ましい。このようにすることによって、請求項１に記載の発明の効果に加えて、下段水平部でも、その下方から、このアルミニウム製の桟を経て、放熱されるため、さらに効率的に熱の除去ができるという効果が得られる。
【００２０】
上記金属製の邪魔板を櫛形構造としてもよい。このようにすることによって、請求項１に記載の発明の効果に加えて、櫛形構造の歯と歯の間からも熱が放散されるため、効率的に熱の除去を行なうことができる。
【図面の簡単な説明】
【図１】本発明にかかるキッチンカウンターの実施形態の一例を示す斜視図である。
【図２】図２のＡ−Ａ線に沿う側断面図である。
【図３】本発明にかかるキッチンカウンターの他の実施形態を示す側断面図である。
【図４】本発明にかかるキッチンカウンターの、さらに他の実施形態を示す斜視図である。
【図５】段違いカウンターを人造大理石で構成した公知のキッチンカウンターを示す斜視図である。
【図６】図５のＢ−Ｂ線に沿う側断面図である。
【符号の説明】
１　　　　本発明にかかるキッチンカウンターに設けられた段違いカウンター
１１　　　上記段違いカウンターにおける下段水平部
１２　　　上記段違いカウンターにおける傾斜部
１３　　　上記段違いカウンターにおける上段水平部
１４　　　上記段違いカウンターにおける邪魔板
１５　　　上記段違いカウンターにおける櫛形構造をした邪魔板
２　　　　天板
３　　　　パッキン
４　　　　下地板
５　　　　アルミニウム製の桟
６　　　　公知のキッチンカウンターに設けられた段違いカウンター
６１　　　上記段違いカウンターにおける下段水平部
６２　　　上記段違いカウンターにおける傾斜部
６３　　　上記段違いカウンターにおける上段水平部
【図１】
2004041467.tif 000003
【図２】
2004041467.tif 000004
【図３】
2004041467.tif 000005
【図４】
2004041467.tif 000006
【図５】
2004041467.tif 000007
【図６】
2004041467.tif 000008